(57)【要約】【課題】農地への農業用水の供給を停止することなく、ファームポンドの底部に堆積している泥土を除去する方法を提供する。【解決手段】ファームポンドの水位を該ファームポンドに設けられた吸水口よりも高い状態に維持したまま該ファームポンドの底部の堆積物を排出する方法であって、高さが前記ファームポンドの水深よりも高くかつ枠体底部と前記ファームポンドの底部との間に間隙を有する枠体を前記ファームポンドに沈設して、前記枠体内のファームポンド底部の堆積物をポンプで吸引してファームポンド外に排出する、ファームポンド底部の堆積物を排出する方法。【選択図】図４
2008069608.tif 000002
【特許請求の範囲】
【請求項１】
ファームポンドの水位を該ファームポンドに設けられた吸水口よりも高い状態に維持したまま該ファームポンドの底部の堆積物を排出する方法であって、
高さが前記ファームポンドの水深よりも高くかつ枠体底部と前記ファームポンドの底部との間に間隙を有する枠体を前記ファームポンドに沈設して、前記枠体内のファームポンド底部の堆積物をポンプで吸引してファームポンド外に排出する
ことを特徴とするファームポンド底部の堆積物を排出する方法。
【請求項２】
前記枠体を複数個用い、これらを配列して前記ファームポンドに沈設することを特徴とする請求項１記載の方法。
【請求項３】
ファームポンドの水位を該ファームポンドに設けられた吸水口よりも高い状態に維持したまま該ファームポンドの底部の堆積物を排出する方法であって、
前記ファームポンドの水位をできるだけ低く維持し、
高さが前記ファームポンドの水深よりも高く、側面に不織布フィルタを有し、かつ枠体底部と前記ファームポンドの底部との間に間隙を有しない枠体を前記ファームポンドの吸水槽入口部に隣接して沈設して、前記枠体内のファームポンド底部の堆積物をポンプで吸引し、
前記枠体外のファームポンド底部の堆積物を、集土手段により収集し、搬送手段によりファームポンド外に搬送する
ことを特徴とするファームポンド底部の堆積物を排出する方法。
【請求項４】
前記枠体が、上から見た形状がコの字型で、その開放側が前記ファームポンドの吸水槽入口部に隣接して設置されることを特徴とする請求項３記載の方法。
【請求項５】
前記枠体が、上から見た形状が四角形で、前記ファームポンドの吸水槽入口部側の面およびそれに対向した面に不織布フィルタが設けられていることを特徴とする請求項３記載の方法。
【請求項６】
前記吸水槽入口部に不織布フィルタを設けることを特徴とする請求項１〜５のいずれか１項に記載の方法。
【発明の詳細な説明】
【技術分野】
【０００１】
本発明は、農業用水を貯留・供給するファームポンドにおいて、農地への農業用水の供給を停止することなく、ファームポンド底部に堆積している泥土を除去する方法に関する。
【背景技術】
【０００２】
季節や気象の変動による使用水量の時間的変化に対応し、安定した作物の栽培管理を可能とするために、農地又は農地の近傍にはファームポンド(Farm  Pond)と呼ばれるコンクリート製の貯水施設が設けられている。河川等の水源から送られてくる水は、ファームポンドに一時的に貯留され、農業用水として農地（畑地、ビニールハウス等）に供給される。また、ファームポンドに貯留された水は、農地の灌漑時における灌漑用水としても用いられる。
ファームポンドの大きさや深さは、そのファームポンドが設置される地域に応じて適宜決定され、河川等の水源に近いところに設置されるものは大中規模であり、この大中規模のファームポンドから給水される水流の末端部であって内陸部の農地付近に設置されるものは小規模である。例えば、中規模のファームポンドとしては縦４０ｍ×横７０ｍ×深さ１０ｍのものがあり、小規模のファームポンドとしては縦２０ｍ×横４０ｍ×深さ３．７５ｍのものがある。
【０００３】
また、ファームポンドには、タンク式ファームポンドおよび溜池状の開放式ファームポンドが存在する。一般的な開放式ファームポンドの一例について図７を参照しながら説明する。図７は、一般的な開放式ファームポンドの平面図を示す。
ファームポンド７０は、コンクリート製の堤７１で囲まれて形成されており、上部が開放した概ね直方体の形状である。ファームポンド７０の壁面には、河川等の水源から送られてくる水をファームポンドに吐出するための吐水口７２、並びにファームポンドに貯留された水を吸い上げて農地に供給するための吸水パイプ７３が設けられている。図７中、ファームポンド７０の壁面からは３本の吸水パイプ７３が突出し下方へ伸びており、各吸水パイプ７３の先端には吸水口（図示せず）が設けられている。該吸水パイプ７３の周辺には該吸水パイプ７３を取り囲むように吸水槽８０が設けられている。吸水槽８０は、その一面が前記吸水パイプ７３が設置されたファームポンドの壁面であって、当該ファームポンドの壁面に対して垂直にコンクリート製の２枚の側壁８１が前記吸水パイプ７３を囲うように設けられ、吸水槽入口部８２に格子状スクリーン８３がその上部が吸水パイプ７３の設けられた壁面に近接するように傾斜して設けられている。格子状スクリーン８３は、横間隔が１０ｃｍ程度で縦間隔が１ｍ程度の鉄格子であり、これにより大きなゴミが除去される。また、吸水口には金網が設けられ、格子状スクリーン８３を通過したゴミが除去される。
【０００４】
開放式ファームポンドの場合、風雨により土砂や落ち葉、枯れ草等がファームポンドに入りこみ、ファームポンド底部に泥土（腐葉土を含む）が堆積する。また、河川からファームポンドに送られてきた水には魚の卵が混入していることもあり、卵からかえった魚の死骸がファームポンド底部に堆積することもある。そして、これらがファームポンド底部に堆積することによって、底部がかさ上げされて貯水量が減少するという問題があった。
【０００５】
また、堆積した泥土が混入した状態で農業用水として供給されると農作物に泥土がかかってしまい、泥土がかかった部分で光合成ができなくなり病気になるという問題があった。特に、キャベツやレタス等の葉物野菜に泥土がかかると商品価値が全くなくなってしまう。
一方、従来、ファームポンドから農地に供給された農業用水中には、泥土のほかに、卵からかえった稚魚や、小石、貝、ゴミ等が混入していることもあり、これらがスプリンクラーに詰まるという問題もあった。
【０００６】
また、河川下流部から水源として取水する場合には、生活雑排水等の影響により水質汚濁が進んでいるため、ファームポンド内にアオコが大量発生することがある。発生したアオコや枯死したアオコはファームポンド底部に堆積したり堆積物の上層部分に浮遊したりするため、上記と同様の散水障害に加えて、異臭等の問題もあった。特に、発生したアオコを死滅させるためにファームポンドを遮光した場合、死滅したアオコが沈降してヘドロ状となり悪臭が発生するという問題もあった。
【０００７】
このような問題を解決するためにはファームポンド底部の堆積物（泥土）の浚渫処理を行う必要がある。従来一般的に行われているファームポンド底部の堆積物の処理方法は、ファームポンド内の農業用水を抜いて水分をできるだけ取り除いてから、ファームポンド内にゴム製のつなぎを着た作業者が入り、ポンプに接続した吸引ホースを用いてファームポンド底部に残存している泥土を吸引して浚渫作業を行うものである。
しかし、このような従来法では、ファームポンド内の農業用水を抜いてから作業を行うため、浚渫作業中には農地へ農業用水を供給することができないという問題があった。また、作業に著しく時間がかかるだけでなく、ある領域の泥土をポンプで吸引してもすぐに周囲から泥土が流れ込むためどこまで作業したのかがわかりにくく、作業効率が悪いという問題もあった。さらに、作業コストが高いので頻繁に浚渫作業ができず、数十年に一度の頻度でしか処理を行うことができなかった。
【０００８】
上記の従来方法における問題を解決する方法が特許文献１に開示されている。特許文献１記載の方法では、溜池底部の排水口から排水溝への水流及び撹拌手段によって撹拌された堆積物を農業用水と混合して排水溝へ流出し、その後に、排水溝の下流に設置された沈殿槽において農業用水及び腐葉土と砂利及び栗石等との分離を行う。これにより、溜池から農業用水を抜くことなく、農業用水を田畑へ供給するたび、又は、排水するたびごとに堆積物を同時に排出し、堆積物により溜池底部のかさ上げを防止する。
しかし、特許文献１記載の方法によれば、分離工程で砂利及び栗石等が農業用水から除去されるが、農業用水と腐葉土とが分離されない濁水のまま田畑へ供給されてしまう。そのため、このような濁水を田園に供給する場合は問題ないかもしれないが、葉物野菜の畑地に供給する場合には泥土が農作物にかかるという問題は依然として解消されない。このような濁水を農地に供給する前に農業用水と腐葉土とに分離するためには、分離工程用の沈殿槽を新たに別途建設する必要がありコストがかかる。
【０００９】
したがって、既存のファームポンドにおいて、新たな施設を建設することなく、低コストで、農地への農業用水の供給を停止することなくファームポンド底部の堆積物を排出し、雑物を含まない農業用水を供給するための方法が求められている。
【特許文献１】特開２００５−３３４８４６号公報
【発明の開示】
【発明が解決しようとする課題】
【００１０】
本発明は、農地への農業用水の供給を停止することなく、ファームポンドの底部に堆積している泥土を除去する方法を提供することを目的とする。
【課題を解決するための手段】
【００１１】
本発明者らは、上述した従来方法では作業者がファームポンド内に入って浚渫作業を行うためにファームポンド内の水を放水する必要があったことに鑑み鋭意検討を重ねた結果、作業者が水上で作業できるように水位よりも高さのある枠体を安定な土台とし、かつ、この枠体内のファームポンド底部の泥土を除去することで、ファームポンド内の農業用水を抜く必要がなく、浚渫作業中にも農地へ農業用水を供給することができ、しかも浚渫作業区域を枠体で囲んでいるので作業中に泥土が枠体外のファームポンド内に拡散することなく浚渫作業ができることを見出した。また、農業用水を抜かないで浚渫作業を行うため用水の水圧によりファームポンド底部に泥土が圧縮されて沈着しているが、枠体下部とファームポンド底部との間に間隙を設けることで、当該間隙がノズルの役割を果たし、浚渫作業中に枠体内に水が流入する際に発生するノズルジェット流により枠体内のファームポンド底部に沈着した泥土をはがすことができ、効率的な作業ができることを見出した。
また、本発明者らは、さらに鋭意検討を重ねた結果、吸水口の位置が低いファームポンドにおいては、吸水槽と不織布フィルタを備えた枠体とで囲むことによって一定量の清浄な水を確保しておけば、ファームポンドの水位が吸水口よりも高い状態に維持しながらショベルローダー等の集土手段を利用してさらに効率的に泥土を除去できることを見出した。
本発明はこれらの知見に基づきなされるに至ったものである。
【００１２】
すなわち、本発明は、
（１）ファームポンドの水位を該ファームポンドに設けられた吸水口よりも高い状態に維持したまま該ファームポンドの底部の堆積物を排出する方法であって、
高さが前記ファームポンドの水深よりも高くかつ枠体底部と前記ファームポンドの底部との間に間隙を有する枠体を前記ファームポンドに沈設して、前記枠体内のファームポンド底部の堆積物をポンプで吸引してファームポンド外に排出する
ことを特徴とするファームポンド底部の堆積物を排出する方法、
（２）前記枠体を複数個用い、これらを配列して前記ファームポンドに沈設することを特徴とする前記（１）項に記載の方法、
（３）ファームポンドの水位を該ファームポンドに設けられた吸水口よりも高い状態に維持したまま該ファームポンドの底部の堆積物を排出する方法であって、
前記ファームポンドの水位をできるだけ低く維持し、
高さが前記ファームポンドの水深よりも高く、側面に不織布フィルタを有し、かつ枠体底部と前記ファームポンドの底部との間に間隙を有しない枠体を前記ファームポンドの吸水槽入口部に隣接して沈設して、前記枠体内のファームポンド底部の堆積物をポンプで吸引し、
前記枠体外のファームポンド底部の堆積物を、集土手段により収集し、搬送手段によりファームポンド外に搬送する
ことを特徴とするファームポンド底部の堆積物を排出する方法、
（４）前記枠体が、上から見た形状がコの字型で、その開放側が前記ファームポンドの吸水槽入口部に隣接して設置されることを特徴とする前記（３）項に記載の方法、
（５）前記枠体が、上から見た形状が四角形で、前記ファームポンドの吸水槽入口部側の面およびそれに対向した面に不織布フィルタが設けられていることを特徴とする前記（３）項に記載の方法、および
（６）前記吸水槽入口部に不織布フィルタを設けることを特徴とする前記（１）〜（５）のいずれか１項に記載の方法
を提供するものである。
【発明の効果】
【００１３】
本発明の方法によれば、既存のファームポンドにおいて、新たな施設を建設することなく、低コストで、農地への農業用水の供給を停止することなくファームポンド底部の堆積物を除去することができる。この結果、ファームポンドが本来意図している貯水量を確保することができ、泥土を除去することでファームポンド内の水を清浄にして異臭等の問題を解決することができ、さらに、農作物に泥土がかかったりゴミ等がスプリンクラーに詰まったりするというような散水障害を解決することができる。
また、本発明の方法によれば、浚渫作業区域を枠体で囲っているので、浚渫作業中にファームポンド底部の泥土が拡散しない。また、底部に間隙を有する枠体を用いることで、当該間隙がノズルの役割を果たし、枠体内に水が流入する際に発生するノズルジェット流によって、枠体内のファームポンド底部に沈着した泥土をはがすことができ、効率的にファームポンド底部の堆積物を排出することができる。
また、本発明の方法によれば、不織布フィルタによって泥土や小さなゴミを除去することで、泥土や小さなゴミが農業用水に混入して農作物に泥土がかかったりゴミ等がスプリンクラーに詰まったりすることを防止することができる。
また、本発明の方法によれば、吸水口の位置が低いファームポンドにおいては、吸水槽と不織布フィルタを備えた枠体とで囲むことによって一定量の清浄な水を確保しておくことで、農地への農業用水の供給を停止することなく浚渫作業ができ、ファームポンドの水位が吸水口よりも高い状態であってもショベルローダー等の集土手段を利用してさらに効率的にファームポンド底部の堆積物を排出することができる。
【発明を実施するための最良の形態】
【００１４】
以下、本発明について詳細に説明する。
本発明は、枠体を利用して、農地への農業用水の供給を停止することなく、ファームポンド底部の堆積物を除去するものである。
本発明の第１の好ましい実施態様では、枠体底部とファームポンド底部との間に間隙を有する枠体を用いて、ファームポンドの水位をファームポンドに設けられた吸水口よりも高い状態に維持したまま、ファームポンドの所望の箇所に枠体を設置して枠体内のファームポンド底部の堆積物を吸引除去する。
また、本発明の第２の好ましい実施態様では、吸水口の位置が低いファームポンドにおいて、枠体底部と前記ファームポンドの底部との間に間隙を有さずかつ側面に不織布フィルタを備えた枠体を用いて、吸水槽と不織布フィルタを備えた枠体とで囲むことによって一定量の清浄な水を確保しておき、ファームポンドの水位をファームポンドに設けられた吸水口よりも高い状態に維持したまま、枠体内のファームポンド底部の堆積物を吸引除去する一方、枠体外のファームポンド底部の堆積物をショベルローダー等の集土手段により除去する。
【００１５】
最初に、本発明の第１の好ましい実施態様について、添付の図面に基づいて詳細に説明する。なお、各図の説明において同一の要素には同一の符号を付す。
図１は、本発明に用いられる枠体の好ましい一実施態様の平面図、図２は正面図である。また、図３は、本発明に用いられる枠体の別の好ましい一実施態様を示す正面断面図である。図１〜３中、１１は枠体を、１２はパネルを、１３は支柱を、１４は脚部を、１６はタイヤを表し、１５は枠体と地面９０との間の間隙を表す。
また、図４は、本発明の第１の好ましい実施態様について説明する平面図であり、図５は、図４のＢ−Ｂ断面拡大図である。図４及び５中、３０はファームポンドを、３１はファームポンドの堤を、３２は吐水口を、３３は吸水パイプを、３４は吸水口を、３５は金網を、５０は吸水槽を、５１は吸水槽側壁を、５２は吸水槽入口部を、５３は格子状スクリーンを、５４は不織布フィルタを表す。
【００１６】
本発明に用いられる枠体について説明する。
枠体１１は、上下に縦貫した筒状のものであるが、その形状は特に限定されない。上から見た形状が円形、四角形、六角形などいかなる形状であってもよいが、複数の枠体を配列する場合や枠体の組立・分解を考慮すると四角形のものが好ましい。例えば、上から見た形状が縦３ｍ×横３ｍの正方形の枠体を用いることができる。
また、ファームポンドの壁際や吸水槽に隣接した領域について浚渫作業を行う場合には、上から見た形状がコの字型の枠体を用いることもできる。
【００１７】
枠体１１の高さは、作業を行うファームポンドの水位がファームポンドに設けられた吸水口よりも高い状態にある場合に、その水位よりも高ければ特に限定されない。ファームポンドの水位よりも高いことを要するのは、枠体の上に乗った作業者が水上で浚渫作業を行うことができるようにするためであり、また、枠体によって一定の領域を隔離して浚渫作業を行うためである。例えば、作業を行うファームポンドの水位が１．２ｍの場合には、枠体の高さは１．３ｍ程度でもよい。
【００１８】
枠体１１がファームポンド上に設置されたとき、ファームポンド底部と枠体１１との間に間隙１５が形成される。枠体内で浚渫作業を行う際にポンプで吸水すると枠体内の水位が枠体外の水位よりも低くなるが、当該間隙１５を通ってファームポンドの水が枠体外から枠体１１内に流入する。このとき、当該間隙１５がノズルの役割を果たし、枠体１１内に水が流入する際に発生するノズルジェット流により枠体内のファームポンド底部に沈着した泥土をはがすことができ、効率的に浚渫作業を行うことができる。このような作用を発揮することができるものであれば、間隙の数・大きさ・形状は特に限定されない。例えば、間隙１５の高さは２〜３ｃｍ程度とすることができ、また、枠体１１のパネル１２の底部に切欠部を設けたり、枠体１１底部に脚部１４を設けたりすることで、ファームポンド底部と枠体１１との間に間隙１５を形成することができる。
【００１９】
脚部１４は、図２に示すように、支柱１３の長さがパネル１２よりも長くなるように支柱１３と一体に設けてもよいし、図３に示すように、支柱１３と脚部１４とが別途設けられていてもよい。また、図３に示すように、枠体１１が水平移動できるように脚部１４にタイヤ１６を設けてもよい。
また、脚部１４は伸縮自在な構成としてもよく、脚部１４が枠体１１内部に収容されることで、枠体１１底部とファームポンド底部との間の間隙の大きさを調節することができる。この駆動方法としてはジャッキや油圧ポンプ等の任意の装置を用いることができる。図３に例示した構成はジャッキを用いたものであり、ジャッキのハンドル１７を矢印Ａ方向に動かすことで脚部１４を伸縮することができる。
【００２０】
枠体１１の材質は、軽量で頑丈なもので構成されていれば特に限定されず、例えば繊維強化プラスチック（ＦＲＰ）製を用いることもできるが、コストの観点から特にアルミニウム製が好ましい。
枠体１１は任意の方法で製造することができる。例えば、縦３ｍ×横３ｍ×高さ１．３ｍ程度で、かつ、底部に高さ３ｃｍの間隙１５が設けられた直方体型アルミニウム製枠体１１は、縦１．３ｍ×横３ｍのアルミニウムパネル１２を４枚及び１．３３ｍの支柱１３を４本用意し、パネル１２の短辺同士の角度が９０度となるように、ボルトとナット等の固着手段によってパネル１２の短辺を支柱１３に固定することで製造することができる。
【００２１】
本発明が適用されるファームポンドについて説明する。
本発明が適用されるファームポンドは特に限定されず、図７に示した一般的な開放式ファームポンドに適用することもできる。特に、中規模又は小規模のファームポンドに好ましく適用することができる。また、前記枠体は作業用土台として利用されるため安定して設置されることが好ましく、ファームポンド底部は概ね水平であることが好ましい。
【００２２】
図４及び５に示すように、ファームポンド３０の壁面からは、３本の吸水パイプ３３が突出し下方へ伸びており、吸水パイプ３３の先端には吸水口３４が設けられている。吸水口３４により、ファームポンド３０に貯留された水４０が吸い上げられて農地に供給される。例えば、縦２０ｍ×横４０ｍ×深さ３．７５ｍ程度の小規模のファームポンドの場合、吸水口３４はファームポンド底部から４０ｃｍ程度のところに位置するように設けられている。本発明の方法では、ファームポンドの水位を当該吸水口３４の位置よりも高い状態に維持して浚渫作業を行う。このため、農地への農業用水の供給を停止することなく、ファームポンドの底部に堆積している泥土を除去することができる。
ファームポンドの水位は、前記吸水口３４よりも高い位置にさえあれば特に限定されない。例えば、上述した小規模のファームポンドの場合、１２０ｃｍの水位で作業を行うことができる。
【００２３】
図４及び５に示すように、通常ファームポンドにおける吸水槽５０の入口部５２には、横間隔が１０ｃｍ程度で縦間隔が１ｍ程度の鉄格子からなる格子状スクリーン５３が設置され、これにより大きなゴミが除去される。また、吸水口３４には金網３５が設けられ、格子状スクリーン５３を通過したゴミが除去される。しかし、吸水口３４に設けられた金網３５を通過した泥土や小さなゴミが農業用水に混入して、農作物に泥土がかかったり、ゴミ等がスプリンクラーに詰まったりする問題がある。そのため、本発明では、このような泥土や小さなゴミを除去するために不織布フィルタ５４を設けることが好ましい。このように不織布フィルタ５４を設けることで、ファームポンド底部の堆積物を排出する際にトラブルによりファームポンド内に泥土が拡散した場合でも、農業用水に泥土が混入するのを防ぐことができる。
【００２４】
不織布フィルタ５４は、泥土や小さなゴミを除去しつつ水を通すものであれば特に限定されない。また、不織布フィルタ５４としては、農業用水に油類が混入することを防ぐため、油類を吸着できるものを用いることも好ましい。このようなフィルタとしては、例えば市販の多目的吸着不織布フィルタＸ−ＴＥＸ（商品名、Ｘｅｘｔｅｘ社製）を好ましく用いることができる（米国特許第６，６３２，５０１号明細書参照）。
【００２５】
不織布フィルタ５４は、吸水される水から泥土や小さなゴミを除去することができれば設置箇所は特に限定されないが、吸水槽５０の入口部５２に設けることが好ましい。
不織布フィルタ５４は、目詰まりにより水の流通が悪くなるのを防ぐため、交換可能に設置されるのが好ましい。例えば、図５に示したように、吸水槽５０の入口部５２に設置する場合には、前記不織布フィルタ５４に滑車を取り付け、傾斜して設けられている格子状スクリーン５３の上からリンクチェーン５５を用いて前記フィルタ５４を吊り下げ、上下に滑動可能に設置する。フィルタ交換時にはリンクチェーン５５を巻いて前記フィルタ５４を引き上げてフィルタ交換を行う。
【００２６】
次に、本発明の第１の好ましい実施態様に関し、ファームポンド底部の堆積物を排出する方法の好ましい手順について詳細に説明するが、本発明はこれに限定されない。
まず、あらかじめ用意しておいた枠体１１の高さがファームポンド３０の水深よりも高いことを確認する。枠体１１は作業者が水上で作業するための土台として利用されるため、枠体１１が完全に水没しないようにする必要があるからである。
次に、ワイヤ２１の両端を滑車２２を通してファームポンドの堤３１に固定して、ファームポンド３０上にワイヤ２１を張る。一方、枠体１１にワイヤ２３を固定し、滑車２４を通して前記ワイヤ２１に枠体１１を吊るす。ワイヤ２１に吊るした枠体１１を作業箇所の上空に移動させてから、作業箇所に枠体１１を沈設させる。枠体１１は複数使用することができる。図４では８個の枠体を配置している。また、枠体１１を１つずつ隣接するように配置してもよく、複数の枠体１１をあらかじめ連結させておいてからこれを沈設させてもよい。
【００２７】
図４に示すように、枠体１１上には、作業者２５の安全性と作業性を確保するために作業板２６を適宜配置する。枠体１１上の作業者２５は、吸引ホース２７を枠体１１内に導入し、ファームポンド底部の堆積物を吸引してファームポンド外に排出する。
ファームポンドから泥水を吸引する手段は任意のポンプを用いることができ、例えばロータリーポンプを用いることができる。ロータリーポンプとしては、例えば、フォーゲルサンロータリーポンプ（商品名、太平洋機工(株)社製）を用いることができる。
【００２８】
本発明の第１の好ましい実施態様によれば、浚渫作業区域を枠体で囲っているので、浚渫作業中にファームポンド底部の泥土が拡散しない。また、上述したように、枠体内で浚渫作業を行う際にポンプで吸水すると枠体内の水位が枠体外の水位よりも低くなるが、当該間隙を通ってファームポンドの水が枠体外から枠体内に流入し、当該間隙がノズルの役割を果たす。ファームポンド底部には水圧により泥土が圧縮されて沈着しているが、間隙を通って枠体内に水が流入する際に発生するノズルジェット流によって、枠体内のファームポンド底部に沈着した泥土をはがすことができ、効率的に浚渫作業を行うことができる。また、本発明ではファームポンドに貯留された水を撹拌しないため、枠体外のファームポンド底部の泥土は、水圧により圧縮されており、浚渫作業中にファームポンド内に拡散することがない。したがって、浚渫作業中に農業用水を吸水しても、ゴミ等が水と一緒に吸水されることを防止することができる。なお、上述した不織布フィルタ５４を吸水槽入口部５２に設けることでゴミを完全に除去することができる。
【００２９】
堆積物が除去されたかどうかは、任意の手段で堆積物量を測定することで判断することができるが、例えば、枠体内に水中カメラを設置して浚渫作業前後の堆積物の量を目視確認することが好ましい。具体的には、水中カメラを入れたガラス箱を枠体内のファームポンド底部に沈めて堆積物量を測定することができる。
【００３０】
枠体内のファームポンド底部の堆積物の排出が完了したら、前記ワイヤ２１により枠体１１を吊り上げ、別の作業箇所に枠体１１を移動させて上記の浚渫作業を繰り返す。
【００３１】
ファームポンドから排出した泥水は、分離・脱水処理により水と土とに分離することが好ましい。分離・脱水処理は任意の方法で行うことができる。例えば、市販の濁水凝集分離装置（例えば、ＳＣＢ３０型濁水処理装置、商品名：水将軍、(株)三央製）や脱水装置（例えば、マジカルベコップシリーズ、商品名、オクト社製）等を適宜組み合わせて用いて分離・脱水処理を行ってもよい。以下に分離・脱水処理の一例を示すが、本発明はこれに限定されない。
【００３２】
まず、ファームポンドから汲み上げた泥水を、メッシュ直径約１０ｍｍのスクリーン（ふるい）を有するゴミ取り装置にかけてビニール袋などの大型のゴミを取り除いた後、ノッチタンクに回収する。ノッチタンクにはメッシュ直径約５ｍｍのゴミ取り網パレットが設けられており、このゴミ取りパレットにより小石などの小型のゴミも取り除かれる。
【００３３】
次いで、ノッチタンク中の泥水に凝集剤を添加し、この泥水を濁水凝集分離装置に搬送して上水部と沈殿部に分離する分離処理を行う。
凝集剤は泥土を水から沈降分離することができるものであれば特に制限されない。ただし、後述するように分離した水をファームポンドに戻し、分離した土を農地に利用する観点から、凝集分離スピードが速く、かつ、人体に無害で安全な凝集剤を用いることが好ましく、特に、水道局などでの浄水処理に用いられている凝集剤のように、沈降速度が速く、生化学的酸素要求量（ＢＯＤ）や全窒素、全リン、大腸菌などを低減することができる凝集剤が好ましい。このような凝集剤としては、例えばオクトクリーンパウダー（商品名、オクト社製）等を用いることができる。
分離した上水部の水は、必要に応じてｐＨ中和処理した後に、ファームポンドに戻す。沈降したフロックについては脱水装置に搬送して脱水処理を行う。
【００３４】
脱水装置に搬送されたフロックは、脱水処理により水と土とに分離される。
脱水処理は、一般的には、布袋にフロックを詰め込み、これを絞ることで行うことができる。脱水処理は効率よく短時間で行うことが好ましく、この観点から例えば上記のマジカルベコップシリーズ（商品名、オクト社製）を脱水装置として用いることが好ましい。この脱水装置は、布袋に泥土を圧入するのと同時に泥土中の液体を吸引するダイヤフラムポンプを用いた脱水タンクを備えており、少ない動力かつ短時間で効率的に脱水することができる（特許第３５１０２３７号公報参照）。
また、脱水装置は、脱水圧力を適宜変更できるものが好ましい。高圧で脱水して得られた脱水ケーキを産業廃棄物として処理することもできるが、資源リサイクルの観点から、含水率約３０％の土が得られるように圧力を調節して脱水し、得られた土を農地に利用することが好ましい。脱水された水はファームポンドに戻すことが好ましい。
【００３５】
次に、本発明の第２の好ましい実施態様について、添付の図面に基づいて詳細に説明する。図６は、本発明の第２の好ましい実施態様について説明する平面図である。なお、図６の説明において、図１〜５における要素と同一の要素には同一の符号を付す。
【００３６】
本発明の第２の好ましい実施態様に用いられる枠体について説明する。本発明の第２の好ましい実施態様では、吸水槽と不織布フィルタを備えた枠体とで囲むことによって一定量の清浄な水を確保する。したがって、吸水槽と枠体とで囲んだ領域に泥水が浸入してこないように、枠体底部と前記ファームポンドの底部との間には間隙を有しないことを要する。具体的には、上記第１の好ましい実施態様に用いられる枠体において脚部を有さず枠体底部に間隙のない構成や、脚部を有するものであっても脚部を縮めて枠体底部の間隙を閉塞することができる構成の枠体が用いられる。
また、枠体の側面には、枠体外から枠体内に水を流入させるために、不織布フィルタを設ける。これにより、枠体外の泥水がろ過されて、吸水槽と枠体とで囲んだ領域に一定量の清浄な水を確保しつつ、浚渫作業中に当該領域から農業用水を供給した場合であっても枠体外から不織布フィルタを通って清浄な水が当該領域に供給され一定量の清浄な水を確保することができる。
【００３７】
吸水槽と不織布フィルタを備えた枠体とで囲むことによって一定量の清浄な水を確保するために、枠体は、上から見た形状がコの字型で、その開放した部分の幅が吸水槽の幅に一致したものが好ましい。また、上から見た形状が四角形でその一辺の長さが吸水槽の幅以上の枠体であって、吸水槽入口部５２側の面およびそれに対向した面に不織布フィルタが設けられ吸水槽と不織布フィルタとの間を通水可能である枠体を用いることも好ましい。
【００３８】
本発明の第２の好ましい実施態様は、吸水口の位置が低いファームポンドに好ましく適用することができる。本発明の第２の好ましい実施態様においても、上記第１の好ましい実施態様と同様にファームポンドの水位をファームポンドに設けられた吸水口よりも高い状態に維持して浚渫作業を行う。このため、農地への農業用水の供給を停止することなく、ファームポンドの底部に堆積している泥土を除去することができる。ただし、本発明の第２の実施態様ではショベルローダー等の重機をファームポンド内に搬入するため、重機が水没しないようできるだけ水位を低くすることが好ましいので、ファームポンドの吸水口の位置も低いことが好ましい。例えば、吸水口がファームポンド底部から４０ｃｍ程度のところに設けられているファームポンドにおいては、本実施態様では５０ｃｍの水位で作業を行うことが好ましい。
【００３９】
次に、本発明の第２の好ましい実施態様に関し、ファームポンド底部の堆積物を排出する方法の好ましい手順について詳細に説明するが、本発明はこれに限定されない。
まず、図６に示すように、上から見た形状がコの字型で、開放した部分の幅が吸水槽５０の幅に一致し、かつ、側面に不織布フィルタ１２ａを備えた枠体１１を、吸水槽５０の前に隣接して設置する。また、図６に示されていないが、枠体１１は、枠体１１底部と前記ファームポンドの底部３０との間に間隙を有しない。枠体１１の設置方法は、上記第１の好ましい実施態様と同様に行う。
【００４０】
次に、上記第１の好ましい実施態様と同様にして、枠体１１上に作業板を適宜配置し、枠体１１上に作業者が乗って吸引ホースを枠体１１と吸水槽５０とで囲まれた領域内に導入し、枠体１１と吸水槽５０とで囲まれた領域内のファームポンド底部の堆積物を吸引してファームポンド外に排出する。吸引手段、堆積物量の測定、分離・脱水処理については、上記第１の好ましい実施態様と同様にして行うことができる。ただし、上記第１の好ましい実施態様とは異なり枠体１１底部には間隙が設けられていないため、必要に応じて吸引圧力を高くしてもよい。脱水処理によって得られた清浄な水は、枠体１１と吸水槽５０とで囲まれた領域に戻すことが好ましい。
【００４１】
次いで、枠体１１と吸水槽５０とで囲まれた領域内の浚渫作業終了後、枠体１１外のファームポンド底部の堆積物を集土手段６１により収集し、搬送手段６２によりファームポンド外に搬送する。
集土手段６１としては、ショベルローダー（タイヤ式又はクローラー式）やブルドーザー等の重機を用いることができ、これによりファームポンド底部の泥土をかき集めることができ、より効率的にファームポンドの底部の堆積物を排出することができる。集土手段６１はクレーン等によりファームポンド３０内に搬入することができる。
搬送手段６２としては、クラムシェルやコンベヤー等の任意の搬送手段を用いることができ、これにより集土手段６１でかき集めた泥土をファームポンド３０外に排出することができる。
なお、このように集土手段６１として重機を用いる場合には、ファームポンドの壁面や底部を破壊しないように注意する必要があり、例えば、壁面付近は重機によらず作業者がスコップでかき集めたり吸引ホースを用いて泥土を排出したりするのが好ましい。
【００４２】
以上説明したように、本発明は、農地への農業用水の供給を停止することなく、ファームポンドの底部に堆積している泥土を除去する方法を提供することができる。本発明によれば、ファームポンドに貯留された水を撹拌しないで泥土を除去することができる。
【図面の簡単な説明】
【００４３】
【図１】図１は、本発明に用いられる枠体の好ましい一実施態様の平面図である。
【図２】図２は、図１の枠体の正面図である。
【図３】図３は、本発明に用いられる枠体の別の好ましい一実施態様を示す正面断面図である。
【図４】図４は、本発明の第１の好ましい実施態様について説明する平面図である。
【図５】図５は、図４のＢ−Ｂ断面拡大図である。
【図６】図６は、本発明の第２の好ましい実施態様について説明する平面図である。
【図７】図７は、一般的な開放式ファームポンドの平面図を示す。
【符号の説明】
【００４４】
１１  枠体
１２  パネル
１２ａ  不織布フィルタ付きパネル
１３  支柱
１４  脚部
１５  間隙
１６  タイヤ
１７  ハンドル
２１、２３  ワイヤ
２２、２４  滑車
２５  作業者
２６  作業板
２７  吸引ホース
３０  ファームポンド
３１  堤
３２  吐水口
３３  吸水パイプ
３４  吸水口
３５  金網
４０  水
５０  吸水槽
５１  吸水槽側壁
５２  吸水槽入口部
５３  格子状スクリーン
５４  不織布フィルタ
６１  ショベルローダー等の集土手段
６２  コンベヤー等の搬送手段
７０  ファームポンド
７１  堤
７２  吐水口
８０  吸水槽
８１  吸水槽側壁
８２  吸水槽入口部
８３  格子状スクリーン
【図１】
2008069608.tif 000003
【図２】
2008069608.tif 000004
【図３】
2008069608.tif 000005
【図４】
2008069608.tif 000006
【図５】
2008069608.tif 000007
【図６】
2008069608.tif 000008
【図７】
2008069608.tif 000009